(57)【要約】      （修正有）【課題】穀粒容器と、それに着脱自在に組付ける移動支持体と、からなる穀粒容器の取扱い装置において、移動支持体側に設ける回動支軸に対し回転自在に嵌合させるよう穀粒容器側に設ける軸筒が、穀粒搬出口部に接続する可撓パイプの穀粒搬送筒に対し干渉のないようにすることにある。【解決手段】穀粒容器Ｂと移動支持体Ａとの着脱自在の結合を、移動支持体Ａ側に設ける角筒または角柱と、穀粒容器Ｂ側に設ける角筒または角柱との抜き挿し自在の嵌合により行われるようにして、それらの嵌合による結合を、移動支持体Ａに対し穀粒容器Ｂの回動を阻止して一体的に結合する状態とし、かつ、その結合が、穀粒容器Ｂの前後の一端に偏る位置に配設する角筒または角柱と、移動支持体Ａに設ける角筒または角柱とで行われるようにし、軸筒とそれに嵌合する回動支軸とで構成する軸支部は、移動支持体Ａの側に組込んでおく。【選択図】図６
2006197846.tif 000002
【特許請求の範囲】
【請求項１】
運搬車Ｃの荷台上に搭載可能とした平面形状が略長方形状の立方枠体４０にホッパ４１を装架した穀粒容器Ｂと、その穀粒容器Ｂに組付けて移動可能に支持する台車状の移動支持体Ａと、からなり、穀粒容器Ｂには、移動支持体Ａに装備せる連結部材ａと装脱自在に連結して穀粒容器Ｂを移動支持体Ａに支持せしめる連結部材ｂを、穀粒容器Ｂの立方枠体４０の長辺側の前後の略中心部位に対し前後方向に偏位した部位に固定して装設し、移動支持体Ａには、前後の略中心部位に立設する支柱５２に軸芯線を左右方向とした水平な支軸５６０とそれに回動自在に嵌合する軸筒５７０とから回動軸部ｗを設けて、それの軸筒５７０から前後方向に突出する突出アーム５７を設け、それの突出端部に穀粒容器Ｂの連結部材ｂに抜き差し自在に嵌合する連結部材ａを前記軸筒５７０と平行する姿勢として固定装架し、回動軸部ｗには支軸５６０に対する軸筒５７０の回動をロックするロック手段を設けておくことを特徴とする穀粒容器における取扱い装置。
【請求項２】
移動支持体Ａに設ける連結部材ａおよび回動軸部ｗの装設位置を、移動支持体Ａの移動によりそれの連結部材ａと穀粒容器Ｂ側の連結部材ｂとを突き合わせた状態時において、回動軸部ｗが穀粒容器Ｂの重心に略対向してくるように設定したことを特徴とする請求項１記載の穀粒容器における取扱い装置。
【請求項３】
移動支持体Ａに設ける回動軸部ｗと、移動支持体Ａに、連結部材ａと連結部材ｂとにより支持せしめる穀粒容器Ｂの主体枠４ａの重心との関係位置を、移動支持体Ａに支持せる主体枠４ａを略水平な姿勢としたときには、回動軸部ｗの軸芯線に対し主体枠４ａの重心がその主体枠４ａの後端側に少し偏る位置を占め、主体枠４ａを略垂直な姿勢としたときは、回動軸部ｗの軸芯線に対し主体枠４ａの重心が主体枠４ａの前面側に少し偏る位置を占めるように設定し、かつ、回動軸部ｗには、主体枠４ａを略水平な姿勢とした状態時において、その姿勢よりの後端側の下降回動を規制するストッパ５８０と、主体枠４ａを略垂直な姿勢とした状態時において、その姿勢よりの前面側への回動を規制するストッパ５８１とを設けておくことを特徴とする請求項１記載の穀粒容器における取扱い装置。
【請求項４】
穀粒容器Ｂと移動支持体Ａとを着脱自在に連結する連結部材ｂと連結部材ａとを、それらの嵌合による連結で、移動支持体Ａに対する穀粒容器Ｂの回動を阻止して支持するよう角筒体乃至角柱体に形成しておくことを特徴とする請求項１記載の穀粒容器における取扱い装置。
【発明の詳細な説明】
【技術分野】
【０００１】
本発明は、運搬車の荷台上に、積込み、荷卸しを自在に搭載して、穀粒の搬送を行なう形態の穀粒搬送用の穀粒容器と、それに着脱自在に組付ける移動支持体とからなる穀粒容器の取扱い装置についての改良に関するものである。
【背景技術】
【０００２】
上述の、運搬車の荷台上に搭載する穀粒搬送用の穀粒容器とそれに脱着自在に組付ける移動支持体とからなる穀粒容器の取扱い装置には特許第３００８２５４号の特許公報にあるようなものが公知手段としてある。
【０００３】
このものは、移動支持体Ａにあっては、図１にあるように、キャスター１０により移動自在とした台枠１１上に、垂直な支持基杆１２を立設して、それの頂部に水平に突出するアーム１３を設け、そのアーム１３の突出端側に、そのアーム１３の突出方向を軸芯線とする円盤１４と回動支軸１５とを設け、アーム１３の側面には、アーム１３と平行するロック杆１６を、アーム１３に沿い移動自在に設けて、バネ１７によりアーム１３の突出方向に押し出すよう付勢しておき、円盤１４の周縁部には、回動規制突片１８を設けて構成し、穀粒容器Ｂにあっては、それの平面形状が長方形状となる立方枠体２０の長辺側中央部に設けた縦杆２１の略中央部に、前記移動支持体Ａの回動支軸１５に嵌合することで、穀粒容器Ｂを移動支持体Ａに対し支架せしめる軸筒２２を設け、それの周辺には、それに嵌挿される回動支軸１５を中心に移動支持体Ａが回動したときの、回動規制突片１８の回動軌跡上に、その突片１８を案内する弧状の案内面２３と、その突片２３の回動範囲を規制する回動規制部２４・２４と、移動支持体Ａのロック杆１６と係合する係止孔２５・２５とを設け、さらに、操作レバー２６の操作により穀粒容器Ｂを浮かせる昇降リフター２７を設けている構成のものである。
【０００４】
そしてこれにより、穀粒容器Ｂを運搬車Ｃの荷台ｃ上に搭載するときは、図３の垂直格納姿勢にある穀粒容器Ｂを水平姿勢とし、ロック杆１６によりこの姿勢にロックして、図２のように運搬車Ｃの荷台ｃ上に誘導し、その状態で昇降リフター２７を作動させて穀粒容器Ｂを荷台ｃに対しリフトアップして、移動支持体Ａのキャスター１０を地表から宙に浮き上がらせ、この状態において、穀粒容器Ｂに設けた軸筒２２から移動支持体Ａに設けた回動支軸１５を抜き出すことで、穀粒容器Ｂから移動支持体Ａを取外し、次いで、昇降リフター２７を作動させて、これを立方枠体２０の内部に格納することで、穀粒容器Ｂを運搬車Ｃの荷台ｃ上に載置する。また、穀粒容器Ｂを荷台ｃから取り降ろすときは、昇降リフター２７の作動で穀粒容器Ｂを荷台ｃ上においてリフトアップし、この状態で移動支持体Ａを回動支軸１５の軸筒２２への嵌挿により穀粒容器Ｂに結合しセットし、次いで昇降リフター２７を旧に戻すことで、移動支持体Ａのキャスター１０を接地させ、この状態で移動支持体Ａの移動か、運搬車Ｃの移動により、穀粒容器Ｂの下面から運搬車Ｃの荷台ｃを除き、次いで穀粒容器Ｂを垂直姿勢に回動させてロック杆１６によりロックし、移動支持体Ａのキャスター１０によって所望の場所に移動させ格納する、という内容のものである。
【０００５】
この従来手段には、次の点に問題がある。
その第１は、移動支持体Ａの穀粒容器Ｂに対する結合を、穀粒容器Ｂの立方枠体２０の長辺側の中央部に設けた縦杆２１の上下の中間部位に装設する軸筒２２に、移動支持体Ａに設けた回動支軸１５を嵌挿することにより行なうことから、穀粒容器Ｂの底部に設ける排出筒２８を、立方枠体２０の中心部位に配設し、それの下面に旋回自在に接続する穀粒搬出口部２９を、全方向に旋回可能としておいて、それに接続する可撓パイプの穀粒搬送筒３を運搬車Ｃの荷台ｃの側方に向けて旋回させて、運搬車Ｃの荷台ｃの側方に穀粒を排出させるときに、その可撓パイプの穀粒搬送筒３が、結合のために穀粒容器Ｂに設ける軸筒２２に対して干渉することで、穀粒の排出作業に不都合を生ぜしめる問題がある。
【０００６】
即ち、穀粒容器Ｂの底部に配設してある円形の排出筒２８の下面に旋回自在に設けた穀粒搬出口部２９に、可撓パイプの穀粒搬送筒３を接続して穀粒の排出作業を行うとき、図４において実線に示しているように、排出筒２８を穀粒容器Ｂ
の底部の後端側に設けて、それに接続する穀粒搬出口部２９を、立方枠体２０の後縁部に配設して、接続する可撓パイプの穀粒搬送筒３を、運搬車Ｃの荷台ｃの後縁からだけ導き出すようにする場合には、支障がないが、図５にあるように、排出筒２８を穀粒容器Ｂの底部の中心部位に設けて、それの下面に旋回自在に接続する穀粒搬出口部２９を配設して、荷台ｃの左右の側方に回動するようにしておいて、接続する可撓パイプの穀粒搬送筒３を、運搬車Ｃの荷台ｃの側縁に導き出して穀粒の排出作業が行えるようにしたときは、可撓パイプの穀粒搬送筒３を排出筒２８中心に旋回させるときに、穀粒容器Ｂの立方枠体２０の長辺側の前後の中心部位に設けられる軸筒２２に穀粒搬送筒３が干渉することで、その穀粒搬送筒３の旋回作動に制約を生ぜしめるようになる問題がある。
【０００７】
第２には、穀粒容器Ｂと移動支持体Ａとの結合とその解除のための作業が厄介なことである。移動支持体Ａに穀粒容器Ｂを回動自在に支持せしめるために、穀粒容器における取扱装置に装備せしめる回動軸部を穀粒容器Ｂ側に設ける軸筒２２と移動支持体Ａ側に設ける回動支軸１５とを嵌合させることで構成し、かつ、それの軸筒２２と回動支軸１５とを抜き挿し自在の嵌合としておいて、軸筒２２に対する回動支軸１５の嵌合により移動支持体Ａに穀粒容器Ｂを結合させ、軸筒２２から回動支軸１５を抜き出すことで結合を解除するようにしていることから、結合及び解除の際に、軸筒２２の軸芯線と回動支軸１５の軸芯線とを精確に揃えた状態とすることが必要で、軸筒２２および回動支軸１５の軸芯線に僅かのずれにより、両者の嵌め合い、または抜き出しを不能にすることから、この操作が厄介な問題がある。
【発明の開示】
【発明が解決しようとする課題】
【０００８】
本発明において解決しようとする課題は、穀粒容器と、それに着脱自在に組付ける移動支持体と、からなる穀粒容器の取扱い装置において、穀粒容器を移動支持体に傾斜回動自在に軸支させるために、移動支持体側に設ける回動支軸に対し回転自在に嵌合させるよう穀粒容器側に設ける軸筒が、穀粒容器の底部の中心部位に穀粒搬出口部を旋回自在に配設したときに、穀粒搬出口部に接続する可撓パイプの穀粒搬送筒に対し干渉のないようにすることと、穀粒容器に対する移動支持体の脱着操作が、嵌め合いと抜き出しが面倒な、軸筒と回動支軸とからなる回動軸部については、それにさわらずに、回動軸部とは別に、穀粒容器側に設ける連結部材と移動支持体に設ける連結部材により、ラフな位置合わせで、結合と解除が行われるようにして、楽に行えるようにすることにある。
【課題を解決するための手段】
【０００９】
上述の課題を解決するための手段として、本発明においては、穀粒容器と移動支持体との着脱自在の結合を、移動支持体側に設ける角筒または角柱と、穀粒容器側に設ける角筒または角柱との抜き挿し自在の嵌合により行われるようにして、それらの嵌合による結合を、移動支持体に対し穀粒容器の回動を阻止して一体的に結合する状態とし、かつ、その結合が、穀粒容器の前後の一端に偏る位置に配設する角筒または角柱と、移動支持体に設ける角筒または角柱とで行われるようにして、穀粒容器の長辺側の中心部位に結合のための軸筒が存在しない態様にする。
【００１０】
そして、穀粒容器を傾斜回動自在に移動支持体に支架せしめるための、軸筒とそれに嵌合する回動支軸とで構成する軸支部は、移動支持体の側に組込んでおき、前述の結合部材である穀粒容器に設ける角筒または角柱と移動支持体に設ける角筒または角柱とによる結合が行われた状態において、穀粒容器を移動支持体に傾斜回動自在に支持せしめるようにする。
【００１１】
また、移動支持体には、それに設ける角筒または角柱の結合部材の高さ位置を調節するためのネジジャッキよりなる昇降リフトを設けて、これにより穀粒容器に対し移動支持体を脱着するときの、それらの昇降作動の操作が容易になるようにする。という手段を提起するものである。
【発明の効果】
【００１２】
この本発明手段によれば、穀粒容器を移動支持体に傾斜回動自在に支架させるための軸筒が、穀粒容器の長辺側の中心部位から取り除かれた態様となることから、穀粒搬出口部を、穀粒容器の底部の前後の中心部位に旋回自在に設けて、それに接続する可撓パイプの穀粒搬送筒を、運搬車の荷台の左右の側方に導き出すようにしたときに、軸筒と干渉することがなくなって、制約を解消するようになり、また、移動支持体の穀粒容器に対する脱着が、穀粒容器側に設けた支持部材と、移動支持体側に設けた連結部材との嵌挿と抜き取りで行われ、それらの抜き挿しがラフな芯合わせでよいことから、この穀粒容器に対する移動支持体の脱着が楽に行えるようになる。
【発明を実施するための最良の形態】
【００１３】
次に本発明の実施の態様を実施例につき図面について説明する。
【実施例１】
【００１４】
図６は、本発明手段を実施せる穀粒容器とそれに結合した移動支持体との、穀粒容器を立てた姿勢とした状態における正面図、図７は同上状態の側面図、図８は穀粒容器を水平な姿勢とした状態の側面図、図９は移動支持体を取り外した穀粒容器の、主体枠にホッパ枠と増量枠とを接続した状態の側面図、図１０は移動支持体側の連結部材を、それに支持さす穀粒容器を水平な姿勢に回動した状態の斜視図、図１１は、同上移動支持体側の連結部材を、穀粒容器を立てた姿勢に支持する位置に回動させた状態の斜視図、図１２は、同上移動支持体の連結部材の横断平面図、図１３は同上移動支持体の連結要部の縦断面図、図１４は、移動支持体を連結した穀粒容器を運搬車の荷台上に位置させた状態の平面図、図１５は同上状態の側面図、図１６は同上状態の後面図、図１７は同上状態の穀粒容器の穀粒搬出口部に、可撓パイプの穀粒搬送筒を接続したときの穀粒搬送筒の回動範囲の説明図である。
【００１５】
図において、Ｂは穀粒容器、Ａはこれに組付ける移動支持体を示す。
穀粒容器Ｂは、枠組みにより組立てる立方枠体４０に投入する穀粒を受入れて一時貯留するホッパ４１を装架し、そのホッパ４１の底面に設ける排出口に、モーターＭにより駆動される穀粒搬出用のスクリューコンベアを内装した穀粒排出口部２９を、縦の軸芯線により旋回自在に吊下げ装設し、その穀粒排出口部２９に、螺旋のバネ材よりなるコンベアを内装した可撓パイプよりなる穀粒搬送筒３を接続するようにした通常の形態のものである。
【００１６】
穀粒容器Ｂは、図示する実施例では、穀粒排出口部２９を装設したベースとなる底部の主体枠４ａと、ホッパ４１を支架したホッパ枠４ｂと、ホッパ４１の容量を増大させる嵩上げ用の増量枠４ｃとを三段に積み重ねて接続する形態に構成してあり、主体枠４ａには、それの前後の中心部位に、ホッパ４１の排出口と接続する排出筒２８と、それに旋回自在に接続する穀粒排出口部２９を装設している。
【００１７】
この穀粒容器Ｂに、移動支持体Ａを連結・結合させるよう装設する連結部材ｂは、移動支持体Ａの連結部材ａと嵌合して連結・結合したときに、穀粒容器Ｂが移動支持体Ａに対し、回動が阻止されて一体的に結合した状態とする構造のものとするため、角筒体または角柱体に形成して装設する。
【００１８】
この連結部材ｂは、図示する実施例では、内周面を断面形状が四角形の角筒体に形成してある。そして、可撓パイプの穀粒搬送筒３を側方に回動させるときの干渉をさけるために、主体枠４ａの左右の上部側枠のそれぞれの下面で、主体枠４ａの前後の中心部に対し後方に偏らせた位置に、それぞれ左右の側枠に対し正しく直交する姿勢で主体枠４ａの内腔に突入するように装設してある。
【００１９】
移動支持体Ａは、底面にキャスター５０を設けた台枠５１に、支柱５２を立設し、その支柱５２の上端側に、穀粒容器Ｂに設けた連結部材ｂと嵌合して穀粒容器Ｂに対し該移動支持体Ａを結合させる連結部材ａを具備せしめ構成するが、その連結部材ａは、穀粒容器Ｂに設ける連結部材ｂと嵌合して連結することで、穀粒容器Ｂを、回動を阻止して一体的に結合した状態に支持する構造のものとする。図示する実施例では、穀粒容器Ｂ側に設けた連結部材ｂが角筒体に形成してあることから、これの内腔に嵌挿することで、回転を阻止する状態で嵌り合うよう、外径が、連結部材ｂの角筒体の内径よりも少し小径とした角筒体に形成してある。
【００２０】
移動支持体Ａ側に設ける連結部材ａの、穀粒容器Ｂ側に設ける連結部材ｂとの嵌め合いは、それらの嵌合による連結・結合が、移動支持体Ａに対し穀粒容器Ｂを支架せしめるだけであることから、ルーズなものでよい。
【００２１】
移動支持体Ａは、実施例では、底面にキャスター５０を設けた台枠５１に立設する支柱５２を、上下の高さの粗調節と微調節が行える構造のものとしている。
【００２２】
即ち、底面にキャスター５０を設けた台枠５１の上面には、下部支柱５２ａを角筒状に形成して装設し、これに角筒状の調節筒５２ｂを上下にスライド自在に嵌挿し、その調節筒５２ｂの下端に開設しておく係合孔５３と、下部支柱５２ａに多連に並列させて形設しておく係合孔５４…から選択する係合孔５４とに係合ピン５５を串通することで、調節筒５２ｂの上下の粗調節が行えるようにし、かつ、この調節筒５２ｂには、それの内腔の上端部に、図１３に示す如く雌ネジ６０を一体に固定装設しておいて、これに雄ネジ６１を回転自在に螺合し、外周側には、上部支柱５２ｃを上下にスライド自在に嵌挿し、この上部支柱５２ｃの上端壁に、前述の雄ネジ６１の頂部の軸部が嵌合する開口を開設して、その開口から雄ネジ６１の頂部を上面側に突出させるとともにその雄ネジ６１を回転自在に軸支させ、上部支柱５２ｃの上端壁の上方には、ハンドルレバー６２の基端のボス部６３を配位して、そのボス部６３を前述の雄ネジ６１の頂部の軸部に嵌合し、連結ピン６４により一体的に連結することで、ハンドルレバー６２の回転操作により、雄ネジ６１が回転して、それに螺合する雌ネジ６０に対し昇降することによって、上部支柱５２ｃが調節筒５２ｂに対し上下に摺動してこの上部支柱５２ｃの高さ位置の微調節が行われるようにしている。
【００２３】
そして、この支柱５２の上端側となる前記上部支柱５２ｃに、連結部材ａを取付け支架せしめるが、その連結部材ａは、図１０に示しているように、上部支柱５２ｃの外周面に、側方に向け水平に突出するアーム５６を設け、それの突出端部に、そのアーム５６に対し略直角に屈曲して水平に延出する突出アーム５７を設け、それの突出端部に、角筒体に形成した連結部材ａを、前述のアーム５６と平行する姿勢として連結固着することで取付け支架し、かつ、アーム５６と突出アーム５７との連結部位に、軸芯線をアーム５６の軸芯線に沿わせて設けた支軸５６０と、突出アーム５７に設けた軸筒５７０が回転自在に嵌合することで構成する回動軸部ｗを設けて、この回動軸部ｗにより連結部材ａが、アーム５６と平行する姿勢に保持されて、突出アーム５７を回動半径とする回動軌跡をもって、アーム５６中心に回動するようにし、さらに、アーム５６には、支軸５６０の手前の位置に、周面に弧状の切欠凹部のある鍔部５８を設け、突出アーム５７には、軸筒５７０の外周面に規制ピン５９を固着し、それの一端側を前記鍔部５８に向け突出させて、前述の切欠凹部内に摺動自在に当接しておくことで、アーム５６に対する突出アーム５７の回動範囲を規制し、さらにまた、規制ピン５９が切欠凹部のそれぞれのエンドに達して、回動が規制された状態において、そのそれぞれの状態にロックするロックピン５７１と、そのロックピン５７１を串通するための係合孔５７２を、軸筒５７０および支軸５６０に設けた構成としている。
【００２４】
そして、これにより、穀粒の搬出作業を終えた穀粒容器Ｂを運搬車Ｃの荷台ｃから取り降ろして格納するために、荷台ｃ上の穀粒容器Ｂに対し移動支持体Ａを連結するときは、移動支持体Ａを運搬車Ｃの荷台ｃの側面位置に配位して、それに装備してある連結部材ａを支持する突出アーム５７を、図１０にあるよう、水平な姿勢としてロックピン５７１によりその状態にロックし、その状態において、ハンドルレバー６２の回動により高さ調節を行って連結部材ａを穀粒容器Ｂに装備してある連結部材ｂに突き合わせ、移動支持体Ａを運搬車Ｃ側に寄せて、連結部材ａと連結部材ｂとを嵌め合わせ、図１２にあるよう連結部材ａの先端が連結部材ｂの内端から突出したところに、その先端に設けておく係合穴７に抜け止めピン７１を嵌挿することで、穀粒容器Ｂに移動支持体Ａを連結・結合し、その状態で、ハンドルレバー６２の回動により穀粒容器Ｂを荷台ｃ上から浮かせ、移動支持体Ａを動かすか運搬車Ｃを動かして、穀粒容器Ｂを荷台ｃから外し、ロックピン５７１を抜いて穀粒容器Ｂを回動軸部ｗにより回動させて立てた姿勢とし格納する。
【００２５】
この穀粒の搬出作業を終えた穀粒容器Ｂの格納は、通常、穀粒容器Ｂを、それの、増量枠４ｃおよびホッパ枠４ｂを取り外して、主体枠４ａだけにし、これを移動支持体Ａに支持せしめて、移動支持体Ａの移動により所望の場所に運搬し格納する。
【００２６】
このとき、移動・運搬は、図８にあるように、主体枠４ａを水平な姿勢に保持せしめて行い、格納は、主体枠４ａを図７にあるように、略垂直に立てた姿勢に保持せしめて、移動支持体Ａに支持した状態で行われる。
【００２７】
このことから、この移動支持体Ａに支架した主体枠４ａの姿勢の変更およびその姿勢の保持の操作を容易にするために、主体枠４ａの重心Ｇ位置と、主体枠４ａを支持する移動支持体Ａに設ける回動軸部ｗの軸芯線との関係位置を、次のように設定している。
【００２８】
主体枠４ａの重心Ｇ位置は、移動支持体Ａに対し連結部材ａと連結部材ｂとの嵌合により主体枠４ａに支持せしめ、かつ、その主体枠４ａを図８にあるよう略水平な姿勢に保持せしめた状態において、主体枠４ａを回動自在に支持する支点となるよう移動支持体Ａに設ける回動軸部ｗの回動軸芯線に対し、穀粒搬出口部２９からの穀粒の排出方向側となる主体枠４ａの後端側に少し偏る位置を占めるように設定する。即ち、回動軸部ｗの回動軸芯線が、主体枠４ａの重心Ｇ位置よりも図８において左側に偏位した位置を占めるように回動軸部ｗの位置を設定する。この設定は、移動支持体Ａのアーム５６から突出する突出アーム５７の突出長さの設定により、回動軸部ｗの位置を、水平な姿勢の主体枠４ａに対し横方向に変位させることで行っている。
【００２９】
これにより、回動軸部ｗに設けるロックピン５７１を抜いて主体枠４ａの回動が自由に行われるようにしたときに、主体枠４ａの重心Ｇの支点位置に対する偏位により、後端側を下降させる方向に回動勝手となるようにし、かつ、この回動で、回動軸部ｗの軸筒５７０に設けた規制ピン５９が、アーム５６に設けた鍔部５８に切欠きにより形成せるストッパ５８０に衝合して、前記方向の回動がストップし、略水平な姿勢に保持されるようにする。
【００３０】
また、主体枠４ａを図７にあるように略垂直な姿勢にしたときには、同図７において、回動軸部ｗの回動軸芯線が主体枠４ａの重心Ｇ位置に対し右側に偏位した位置を占めるように、回動軸部ｗの位置を設定する。この設定は、図８にあるように、主体枠４ａを略水平な姿勢に保持した状態において、連結部材ａと連結部材ｂとの連結点に対する回動軸部ｗの高さ位置の設定により、主体枠４ａの重心Ｇ位置に対し回動軸部ｗの位置を下方に偏位させることで、主体枠４ａを図７にあるよう略垂直な姿勢としたときに、回動軸部ｗが主体枠４ａの重心Ｇ位置に対し同図７において右側に偏位した位置を占めるようにしている。
【００３１】
そして、これにより、主体枠４ａを前述の図８に示す略水平な姿勢とした状態から、重心Ｇ位置の偏位により下降勝手となっている後面側（図８において右端側）に、少しの力を加えて図７に示す垂直な姿勢にまで引き起こし、回動軸部ｗの軸筒５７０に設けてある規制ピン５９が、アーム５６に設けた鍔部５８に切欠きにより形成せる前記ストッパ５８０から周方向に略９０度離れて位置しているストッパ５８１に衝合して、この引起こし方向の回動が規制されたときに、主体枠４ａが重心Ｇ位置の偏位により前記ストッパ５８１と衝合する側に回動勝手となって、略垂直な姿勢に保持されるようにしている。
【００３２】
従って、移動支持体Ａに支持せしめた主体枠４ａは、略水平な姿勢に回動させたとき、および、略垂直な姿勢に回動させたときに、重心Ｇ位置の回動軸部ｗに対する偏位により、それぞれの状態を保持するようになって、そのそれぞれの状態でのロックピン５７１の挿通によるロックで、それぞれの状態に固定されることになる。
【図面の簡単な説明】
【００３３】
【図１】従前の穀粒容器の取扱い装置の要部の斜視図である。
【図２】同上装置の、穀粒容器を運搬車の荷台上に搭載する工程を示す説明図である。
【図３】同上装置の、穀粒容器を移動支持体に支架した状態時の説明図である。
【図４】同上装置の、運搬車の荷台上に搭載した穀粒容器から、それに投入された穀粒を、穀粒排出口部に接続した可撓パイプの穀粒搬送筒により搬出する状態時の平面視による説明図である。
【図５】同上装置の、穀粒容器の穀粒排出口を、底部の中心部位に配設したときの、接続した穀粒搬送筒が軸筒と干渉する状態を示す説明図である。
【図６】本発明を実施せる穀粒容器の取扱い装置の、移動支持体に支持せしめた穀粒容器を立てた姿勢とした状態時の前面図である。
【図７】同上装置の、同上状態時の側面図である。
【図８】同上装置の、移動支持体に支持せしめた穀粒容器を水平な姿勢に回動させた状態時の側面図である。
【図９】同上装置の、穀粒容器を示し、それの主体枠に、ホッパ枠と増量枠とを接続した状態の側面図である。
【図１０】同上装置の移動支持体を示し、それの連結部材を、穀粒容器を水平に支持する位置に回動させた状態時の一部省略した斜視図である。
【図１１】同上装置の移動支持体の、連結部材を、穀粒容器を立てた姿勢に支持する位置に回動させた状態時の一部省略した斜視図である。
【図１２】同上装置の、移動支持体を、穀粒容器に連結した状態時の要部の横断平面図である。
【図１３】同上装置の移動支持体の、要部の縦断正面図である。
【図１４】同上装置の、移動支持体に支持せしめた穀粒容器を、運搬車の荷台上に積み込んだ状態時の平面図である。
【図１５】同上装置の、同上状態時の側面図である。
【図１６】同上装置の、同上状態時の後面図である。
【図１７】同上装置の、運搬車の荷台上に搭載した穀粒容器の穀粒搬出口部に、可撓パイプの穀粒搬送筒を接続したときの、その穀粒搬送筒の回動範囲の説明図である。
【符号の説明】
【００３４】
Ａ…移動支持体、Ｂ…穀粒容器、Ｃ…運搬車、Ｇ…重心、Ｍ…モーター、ａ・ｂ…連結部材、ｃ…荷台、ｗ…回動軸部、ｙ…ロック手段、３…穀粒搬送筒、４ａ…主体枠、４ｂ…ホッパ枠、４ｃ…増量枠、７…係合穴、１０…キャスター、１１…台枠、１２…支持基杆、１３…アーム、１４…円盤、１５…回動支軸、１６…ロック杆、１７…バネ、１８…回動規制突片、２０…立方枠体、２１…縦杆、２２…軸筒、２３…案内面、２４…回動規制部、２５…係止孔、２６…操作レバー、２７…昇降リフター、２８…排出筒、２９…穀粒搬出口部、４０…立方枠体、４１…ホッパ、５０…キャスター、５１…台枠、５２…支柱、５２ａ…下部支柱、５２ｂ…調節筒、５２ｃ…上部支柱、５３・５４…係合孔、５５…係合ピン、５６…アーム、５７…突出アーム、５８…鍔部、５９…規制ピン、６０…雌ネジ、６１…雄ネジ、６２…ハンドルレバー、６３…ボス部、６４…連結ピン、７１…抜け止めピン、５６０…支軸、５７０…軸筒、５７１…ロックピン、５７２…係合孔、５８０・５８１…ストッパ。
【図１】
2006197846.tif 000003
【図２】
2006197846.tif 000004
【図３】
2006197846.tif 000005
【図４】
2006197846.tif 000006
【図５】
2006197846.tif 000007
【図６】
2006197846.tif 000008
【図７】
2006197846.tif 000009
【図８】
2006197846.tif 000010
【図９】
2006197846.tif 000011
【図１０】
2006197846.tif 000012
【図１１】
2006197846.tif 000013
【図１２】
2006197846.tif 000014
【図１３】
2006197846.tif 000015
【図１４】
2006197846.tif 000016
【図１５】
2006197846.tif 000017
【図１６】
2006197846.tif 000018
【図１７】
2006197846.tif 000019